(57)【要約】【課題】アプリケーションの変更や新たなアプリケーションの追加があった場合にＩＣカードに変更や追加となるアプリケーションを書き込まなくても、これらのアプリケーションを利用することができる手段を提供する。【解決手段】ＩＣカードと、ＩＣカードのカード情報を読み書きするカード取扱部と、表示部とを有する自動取引装置を備えたＩＣカードシステムにおいて、自動取引装置と接続し、ＩＣカード取引のためのアプリケーションを保有するアプリケーションサーバーを備え、ＩＣカード取引を行うときに、自動取引装置がアプリケーションサーバーからＩＣカード取引のアプリケーションを取得し、取得したＩＣカード取引のアプリケーションを表示部に選択可能に表示することを特徴とする。【選択図】        図１
2006119898.tif 000002
【特許請求の範囲】
【請求項１】
ＩＣカードと、該ＩＣカードのカード情報を読み書きするカード取扱部と、表示部とを有する自動取引装置を備えたＩＣカードシステムにおいて、
前記自動取引装置と接続し、ＩＣカード取引のためのアプリケーションを保有するアプリケーションサーバーを備え、
ＩＣカード取引を行うときに、前記自動取引装置が前記アプリケーションサーバーからＩＣカード取引のアプリケーションを取得し、該取得したＩＣカード取引のアプリケーションを前記表示部に選択可能に表示することを特徴とするＩＣカードシステム。
【請求項２】
請求項１において、
前記アプリケーションサーバーを当方アプリケーションサーバーと提携先アプリケーションサーバーとをサーバー間ネットワークにより接続して構成することを特徴とするＩＣカードシステム。
【発明の詳細な説明】
【技術分野】
【０００１】
本発明は、金融機関等で用いられるＩＣカードシステムに関する。
【背景技術】
【０００２】
従来のＩＣカードシステムにおいては、ＩＣカード取引のためのアプリケーションは、端末がホストコンピュータと接続されている情報管理装置からダウンロードし、ダウンロードしたアプリケーションをＩＣカードに書き込んで用いている（例えば、特許文献１参照。）。
【特許文献１】特開２００３−３０８４８６号公報（第６頁左欄４９行目―第６頁右欄４行目）
【発明の開示】
【発明が解決しようとする課題】
【０００３】
しかしながら、上述した従来の技術においては、ＩＣカード取引のアプリケーションをＩＣカードに書き込んでいるため、アプリケーションの変更や新たなアプリケーションを追加する場合には、ＩＣカードに変更したアプリケーションや追加する新たなアプリケーションの書き込みをその都度行わないと新たなアプリケーションのＩＣカード取引を利用することができないという問題がある。
【０００４】
本発明は、上記の問題点を解決するためになされたもので、アプリケーションの変更や新たなアプリケーションの追加があった場合にＩＣカードに変更や追加となるアプリケーションを書き込まなくても、これらのアプリケーションを利用することができる手段を提供することを目的とする。
【課題を解決するための手段】
【０００５】
本発明は、上記課題を解決するために、ＩＣカードと、該ＩＣカードのカード情報を読み書きするカード取扱部と、表示部とを有する自動取引装置を備えたＩＣカードシステムにおいて、前記自動取引装置と接続し、ＩＣカード取引のためのアプリケーションを保有するアプリケーションサーバーを備え、ＩＣカード取引を行うときに、前記自動取引装置が前記アプリケーションサーバーからＩＣカード取引のアプリケーションを取得し、該取得したＩＣカード取引のアプリケーションを前記表示部に選択可能に表示することを特徴とする。
【発明の効果】
【０００６】
このように、本発明は、ＩＣカード取引を行う際は自動取引装置がアプリケーションサーバーからアプリケーションを取得するようにしたため、アプリケーションの変更や、新たなアプリケーションの追加があった場合、アプリケーションサーバーが保有するアプリケーションの変更や追加を行うことのみで、顧客は変更や追加されたＩＣカード取引を即座に利用することができるという効果が得られる。
【発明を実施するための最良の形態】
【０００７】
以下に、図面を参照して本発明によるＩＣカードシステムの実施例について説明する。
【実施例１】
【０００８】
図１は実施例のＩＣカードシステムの構成を示す説明図、図２は実施例の自動取引装置を示す斜視図である。
図１、図２において、１はＩＣカードシステムである。
２は自動取引装置であり、銀行等の金融機関やコンビニエンスストア等（金融機関等という。）の支店や営業店等の店舗に設置され、顧客との取引を自動で行う。
【０００９】
３はカード取扱部であり、カード挿入口４から挿入された顧客のＩＣカードに格納されている所有者である顧客のＩＤ番号、発行元の金融機関名や口座番号等の口座情報および電子マネーの金額等のカード情報を読み書きする機能を有する。
５は紙幣入出金部であり、紙幣入出金口６によって顧客が投入した紙幣を受け入れ、これを鑑別、計数して収納し、顧客に支払う紙幣を紙幣入出金口６から排出して顧客に引渡す機能を有している。
【００１０】
７は硬貨入出金部であり、硬貨入出金口８によって顧客が投入した硬貨を受け入れ、これを鑑別、計数して収納し、顧客に支払う硬貨を硬貨入出金口８から排出して顧客に引渡す機能を有している。
９は通帳取扱部であり、通帳挿入口１０から挿入された顧客の通帳の磁気ストライプに記録されている通帳情報を読み書きする機能を有すると共に取引内容等を顧客の通帳に記帳する機能を有している。
【００１１】
１１は顧客操作部であり、ＬＣＤ等の表示部１２と透明なタッチパネル等の位置信号検出部１３との組合せで構成されており、表示部１２に取引選択画面や各種の入力画面、顧客の処置を促す画面等を表示する一方、位置信号検出部１３により顧客からの入力を受付ける。
１７は自動取引装置２の主制御部であり、自動取引装置１内の各部を制御して取引処理等を実行すると共にデータ通信等も制御する。
【００１２】
１９は記憶部であり、主制御部１７が実行するプログラムおよび後述する当方アプリケーションサーバー２３および提携先アプリケーションサーバー３３から送信されるＩＣカード取引のアプリケーション等を格納する。
２０は、自動取引装置２を設置している自行の金融機関の自行センタである。
２１は自行センタ２０に設置された自行ホストコンピュータであり、自動取引装置２と専用回線や電話回線等の通信回線２２を介して接続しており、顧客の口座の口座番号やその暗証番号、口座残高等の顧客情報を保有して顧客の口座を管理する。
【００１３】
２３は自行センタ２０に設置された当方アプリケーションサーバーであり、例えば金融機関等で取引を行ったときの取引額等に応じて付与され、ＩＣカードに格納されるポイントの総数を確認する「ポイント確認」、ＩＣカードに電子マネーを格納する「電子マネーチャージ」および格納されている電子マネーを現金にして引き出す「電子マネーキャッシュアウト」等のＩＣカード取引のアプリケーションを保有している。
【００１４】
また、ＩＣカード取引はＩＣカードをもつ顧客ごとにそれぞれ扱える種類が異なることがあるため顧客のＩＤ番号がＩＣカード取引のアプリケーションにそれぞれ関連づけて格納されており、店舗に設置されている自動取引装置２と専用回線や公衆網等の通信ネットワーク２４を介して接続している。
さらに、当方アプリケーションサーバー２３はその金融機関等に設置されている図示しない情報供給装置と接続しており、情報供給装置によりアプリケーションの変更や新たなアプリケーション等が顧客のＩＤ番号と関連づけられて供給される。
【００１５】
３０は自動取引装置２を設置している金融機関と提携する提携先の金融機関の提携先センタである。
３１は提携先センタ３０に設置された提携先ホストコンピュータであり、自行ホストコンピュータ２１と専用回線や電話回線等のホスト間回線３２を介して接続しており、提携先の金融機関に口座を持つ顧客の口座番号やその暗証番号、口座残高等の顧客情報を保有して顧客の口座を管理する。
【００１６】
３３は提携先センタ３０に設置された提携先アプリケーションサーバーであり、提携先のＩＣカード取引のアプリケーションを保有すると共にそれぞれのアプリケーションに顧客のＩＤ番号を関連づけて格納しており、専用回線や公衆網等のサーバー間ネットワーク３４を介して当方アプリケーションサーバー２３と接続している。
また、提携先アプリケーションサーバー３３はその金融機関等に設置されている図示しない情報供給装置と接続しており、情報供給装置によりアプリケーションの変更や新たなアプリケーション等が顧客のＩＤ番号と関連づけられて供給される。
【００１７】
上述した構成の作用について説明する。
図３に示すフローチャートを用い、自動取引装置２側の動作をＳで示すステップ、当方アプリケーションサーバー２３側の動作をＳＡで示すステップ、自行ホストコンピュータ２１側の動作をＳＢで示すステップ、提携先アプリケーションサーバー３３側の動作をＳＣで示すステップそして提携先ホストコンピュータ３１側の動作をＳＤで示すステップに従って顧客の口座から電子マネーをＩＣカードにチャージするときの作動について説明する。
【００１８】
Ｓ１、主制御部１７は、表示部１２に図４に示す融資を受けるための「融資」キー、入金取引を行うための「郵便貯金」キー、ＩＣカード取引を行うための「ＩＣカード取引」キー等を表示した取引選択画面を表示して待機している。
Ｓ２、顧客が取引選択画面から「ＩＣカード取引」キーに触れたことを位置信号検出部１３により検出した主制御部１７は、表示部１２に図５に示すＩＣカードの挿入を促すイラストを表示したＩＣカード挿入画面を表示する。
【００１９】
Ｓ３、顧客がＩＣカードをカード挿入口４に挿入したことを検知した主制御部１７は、カード取扱部３により挿入されたＩＣカードに格納されているカード情報を読み取ると共にＩＣカード取引のアプリケーションを取得するために、カード情報の顧客のＩＤ番号および口座情報を添付したアプリケーション取得指示通知を通信ネットワーク２４を介して当方アプリケーションサーバー２３に送信する。
【００２０】
ＳＡ１、当方アプリケーションサーバー２３は、受信したアプリケーション取得指示通知の口座情報を基にＩＣカードが自行で発行されたものであるときはステップＳＡ２へ分岐し、提携先の金融機関で発行されたものであるときはステップＳＡ３へ移行する。
ＳＡ２、ＩＣカードが自行で発行されたものと判定した当方アプリケーションサーバー２３は、受信したアプリケーション取得指示通知の口座情報の顧客のＩＤ番号を基に、このＩＤ番号に関連するＩＣカード取引のアプリケーションを抽出して通信ネットワーク２４を介して主制御部１７に送信する。
【００２１】
ＳＡ３、ＩＣカードが提携先の金融機関で発行されたものと判定した当方アプリケーションサーバー２３は、アプリケーション取得指示通知をサーバー間ネットワーク３４を介して提携先センタ３０に設置されている提携先アプリケーションサーバー３３に転送する。
ＳＣ１、提携先アプリケーションサーバー３３は受信したアプリケーション取得指示通知の口座情報の顧客のＩＤ番号を基に、このＩＤ番号に関連するＩＣカード取引のアプリケーションを抽出してサーバー間ネットワーク３４を介して当方アプリケーションサーバー２３に送信する。
【００２２】
ＳＡ４、当方アプリケーションサーバー２３は、受信したアプリケーションを通信ネットワーク２４を介して主制御部１７へ転送する。
Ｓ４、主制御部１７は取得したアプリケーションを記憶部１９に格納すると共に表示部１２に図６に示すＩＣカード取引としての「ポイント確認」、「電子マネーチャージ」および「電子マネーキャッシュアウト」等の選択キーを表示したＩＣカード取引選択画面を表示する。
【００２３】
Ｓ５、顧客が「電子マネーチャージ」キーに触れたことを位置信号検出部１３により検出した主制御部１７は、記憶部１９に格納したアプリケーションから電子マネーチャージのアプリケーションを読み出して起動させ、表示部１２に暗証番号の入力を促す暗証番号入力画面を表示する。
Ｓ６、顧客が暗証番号を入力したことを位置信号検出部１３により検出した主制御部１７は、口座情報と入力された暗証番号とを添付した認証確認通知を通信回線２２を介して自行ホストコンピュータ２１に送信する。
【００２４】
ＳＢ１、自行ホストコンピュータ２１は受信した認証確認通知の口座情報を基に、ＩＣカードが自行で発行されたものであるときはステップＳＢ２へ分岐し、提携先の金融機関で発行されたであるときはステップＳＢ３へ移行する。
ＳＢ２、ＩＣカードが自行で発行されたものであると判定した自行ホストコンピュータ２１は、認証確認通知の口座情報と暗証番号とを保有している顧客情報を参照することにより顧客を認証し、認証終了通知を通信回線２２を介して主制御部１７に送信する。
【００２５】
ＳＢ３、ＩＣカードが提携先の金融機関で発行されたものと判定した自行ホストコンピュータ２１は、認証確認通知をホスト間回線３２を介して提携先センタ３０に設置されている提携先ホストコンピュータ３１に転送する。
ＳＤ１、提携先ホストコンピュータ３１は受信した認証確認通知の口座情報と暗証番号とを保有している顧客情報を参照することにより顧客を認証し、ホスト間回線３２を介して認証終了通知を自行ホストコンピュータ２１に送信する。
【００２６】
ＳＢ４、自行ホストコンピュータ２１は受信した認証終了通知を通信回線２２を介して主制御部１７に転送する。
Ｓ７、認証終了通知を受信した主制御部１７は、表示部１２にＩＣカードにチャージする電子マネーの金額の入力を促す文言とその入力のためのテンキー等を表示した電子マネー金額入力画面を表示する。
【００２７】
Ｓ８、顧客がＩＣカードにチャージする電子マネーの金額を入力したことを位置信号検出部１３により検出した主制御部１７は、チャージする電子マネーの金額と口座情報とを添付した取引通知を通信回線２２を介して自行ホストコンピュータ２１に送信する。
ＳＢ５、自行ホストコンピュータ２１は受信した取引通知の口座情報を基に、ＩＣカードが自行で発行されたものであるときはステップＳＢ６に分岐し、ＩＣカードが提携先の金融機関で発行されたものであるときはステップＳＢ７に移行する。
【００２８】
ＳＢ６、ＩＣカードが自行で発行されたものと判定した自行ホストコンピュータ２１は、口座情報を基に該当する顧客情報を特定し、その口座残高と受信した取引通知のチャージする電子マネーの金額とを比べ、口座残高に不足が無いときは取引許可の旨を、口座残高が不足するときは取引不許可の旨を通知する取引可否通知を作成し、これを通信回線２２を介して主制御部１７に送信する。
【００２９】
ＳＢ７、ＩＣカードが提携先の金融機関で発行されたものと判定した自行ホストコンピュータ２１は、受信した取引通知をホスト間回線３２を介して提携先ホストコンピュータ３１に転送する。
ＳＤ２、取引通知を受信した提携先ホストコンピュータ３１は受信した取引通知の口座情報を基に顧客情報を特定し、その口座残高と受信した取引通知のチャージする電子マネーの金額とを比べ、口座残高に不足が無いときは取引許可の旨を、口座残高に不足があるときは取引不許可の旨を通知する取引可否通知を作成し、これをホスト間回線３２を介して自行ホストコンピュータ２１に送信する。
【００３０】
ＳＢ８、自行ホストコンピュータ２１は受信した取引可否通知を通信回線２２を介して主制御部１７に転送する。
Ｓ９、取引可否通知を受信した主制御部１７は、取引の可否を判定し、取引が許可のときはステップＳ１０に分岐し、取引が不許可のときはステップＳ１１に移行する。
Ｓ１０、取引が許可であったと判定した主制御部１７は、カード取扱部３によりＩＣカードにチャージする電子マネーを書き込み、表示部１２に取引が許可されて終了した旨を表示すると共に、カード挿入口４からＩＣカードと取引結果を示す取引明細票等を排出してステップＳ１２へ移行する。
【００３１】
Ｓ１１、取引が不許可であったと判定した主制御部１７は、表示部１２に取引が不許可で終了した旨を表示すると共に、カード挿入口４からＩＣカードを排出してステップＳ１２へ移行する。
Ｓ１２、主制御部１７は、記憶部１９に格納されているＩＣカード取引のアプリケーションを消去する。
【００３２】
Ｓ１３、主制御部１７は、そのタイマー機能により現在時刻を認識し、現在時刻が自動取引装置２の営業時間以内の場合はステップＳ１へ戻り取引選択画面を表示して待機し、営業時間を超えている場合は取引の業務処理を終了する。
このように、本実施例の自動取引装置２ではＩＣカード取引が行われるとき、自行での取引では当方アプリケーションサーバー２３から、提携先の金融機関での取引では提携先アプリケーションサーバー３３から必要なＩＣカード取引のためのアプリケーションを取得して顧客とのＩＣカード取引を行っている。
【００３３】
以上説明したように、本実施例では、ＩＣカード取引のアプリケーションをアプリケーションサーバーが保有し、ＩＣカード取引を行う際は自動取引装置がアプリケーションサーバーからアプリケーションを取得するようにしたため、アプリケーションの変更や、新たなアプリケーションの追加があった場合、アプリケーションサーバーが保有するアプリケーションの変更や追加を行うことのみで、顧客は変更や追加されたＩＣカード取引を即座に利用することができるという効果が得られる。
【図面の簡単な説明】
【００３４】
【図１】実施例のＩＣカードシステムの構成を示す説明図
【図２】実施例の自動取引装置を示す斜視図
【図３】実施例の電子マネーチャージの手順を示すフローチャート
【図４】実施例の取引選択画面の一例
【図５】実施例のＩＣカード挿入画面の一例
【図６】実施例のＩＣカード取引選択画面の一例
【符号の説明】
【００３５】
１    ＩＣカードシステム
２    自動取引装置
３    カード取扱部
４    カード挿入口
５    紙幣入出金部
６    紙幣入出金口
７    硬貨入出金部
８    硬貨入出金口
９    通帳取扱部
１０  通帳挿入口
１１  顧客操作部
１２  表示部
１３  位置信号検出部
１７  主制御部
１９  記憶部
２０  自行センタ
２１  自行ホストコンピュータ
２２  通信回線
２３  当方アプリケーションサーバー
２４  通信ネットワーク
３０  提携先センタ
３１  提携先ホストコンピュータ
３２  ホスト間回線
３３  提携先アプリケーションサーバー
３４  サーバー間ネットワーク
【図１】
2006119898.tif 000003
【図２】
2006119898.tif 000004
【図３】
2006119898.tif 000005
【図４】
2006119898.tif 000006
【図５】
2006119898.tif 000007
【図６】
2006119898.tif 000008